(57)【要約】【課題】  設定表示部と制御部間でデータを転送する制御装置において、信号線を大幅に増加せずにスイッチなどの状態信号を転送する【解決手段】  制御部１が、表示手段３１の動作を制御しスイッチ３３の設定状態を検出するマイコン１１と、表示手段３１を電源に接続する表示用トランジスタ１４−２、３と、スイッチ３３を電源に接続する検出用トランジスタ１４−４と、スイッチ３３の設定状態を検出する設定状態検出用トランジスタ１４−５とを有し、設定表示部３が、複数の表示素子からなる表示手段３１と、複数のスイッチ３３及び直列に接続された複数の逆流阻止ダイオード３４とからなる動作設定手段とを有し、マイコン１１が、検出用トランジスタを選択してスイッチ３３を電源に接続したときに該スイッチ３３を順次選択して設定状態を検出するようにした制御装置。【選択図】        図１
2005188855.tif 000002
【特許請求の範囲】
【請求項１】
負荷や設定表示部を制御する制御部と、表示手段と動作設定手段を有する設定表示部との間を信号線および電力線で接続した制御装置において、
前記制御部が、
前記表示手段の動作を制御し前記動作設定手段の設定状態を検出する制御手段と、
前記表示手段を電源に接続する表示用スイッチング手段と、
前記動作設定手段を電源に接続する検出用スイッチング手段と、
前記動作設定手段の設定状態を検出する設定状態検出手段と、
前記制御手段にそれぞれ抵抗を介して接続される複数の信号線とを有し、
前記設定表示部が、
複数の表示素子からなる表示手段と、
複数の動作設定素子および該動作設定素子にそれぞれ直列に接続された複数の逆流阻止手段とからなる動作設定手段と、
前記それぞれの表示素子と前記それぞれの動作設定素子に接続される信号線とを有し、
前記制御手段は、前記表示用スイッチング手段を選択して前記表示手段を電源に接続したときに前記表示素子を任意に選択して表示させ、前記検出用スイッチング手段を選択して前記動作設定手段を電源に接続したときに前記動作設定素子を順次選択して設定状態を検出することを特徴とする制御装置。
【請求項２】
前記動作設定手段が、複数の動作設定素子の一方の端子が前記逆流阻止手段と前記信号線を介してそれぞれ独立に前記制御部に接続され、他方の端子が共通して前記電力線を介して前記検出用スイッチング手段の出力に接続されたことを特徴とする請求項１に記載の制御装置。
【請求項３】
前記表示手段が、複数の表示素子の一方の端子が前記信号線を介してそれぞれ独立に前記制御部に接続され他方の端子が共通して前記電力線を介して前記表示用スイッチング手段の出力に接続されたことを特徴とする請求項１に記載の制御装置。
【請求項４】
前記表示手段の複数の表示素子と前記動作設定手段の複数の動作設定素子を、共通の複数本の信号線を介して前記制御部に接続したことを特徴とする請求項２または請求項３に記載の制御装置。
【請求項５】
前記設定状態検出手段は、制御電極と２個の端子を有し、前記制御電極が前記検出用スイッチング手段の出力に接続された第１の抵抗と前記動作設定手段の共通接続された端子との間に第２の抵抗を介して接続され、第１の端子が電源に第２の端子が抵抗を介して接地されるとともに、第２の端子と前記抵抗との接続点が前記制御手段に接続されたことを特徴とする請求項１ないし請求項４のいずれか１項に記載の制御装置。
【請求項６】
前記表示用スイッチング手段および前記検出用スイッチング手段ならびに前記設定状態検出手段がトランジスタであり、前記表示手段が７セグメントの数値表示手段であり、前記動作設定素子がスイッチであり、前記制御手段がマイクロコンピュータであることを特徴とする請求項１ないし請求項５のいずれか１項に記載の制御装置。
【請求項７】
前記制御手段が、前記表示用スイッチング手段と前記検出用スイッチング手段を順次選択して動作させるとともに前記信号線の状態を選択して変化させ、検出用スイッチング手段が動作しているときに前記信号線を選択していずれかの動作設定素子の状態を検出することを特徴とする請求項１ないし請求項６のいずれか１項に記載の制御装置。
【請求項８】
前記制御手段が、同一の前記動作設定素子の設定状態を複数回にわたって検出し、検出した設定状態の多い方を当該動作設定素子の設定状態とすることを特徴とする請求項７に記載の制御装置。
【請求項９】
請求項１ないし請求項８のいずれか１項に記載の制御装置におけるデータ転送方法であって、
前記表示手段の表示と前記動作設定手段の設定状態の検出をダイナミックドライブ方式によって動作させることを特徴とする制御装置のデータ転送方法。
【請求項１０】
前記動作設定手段の設定状態検出時における前記複数の動作設定素子の設定状態検出をダイナミックドライブ方式によって行うことを特徴とする請求項９に記載の制御装置のデータ転送方法。
【請求項１１】
前記複数の動作設定素子の設定状態検出をダイナミックドライブ方式によって検出するときに、１つの動作設定素子について複数回状態を検出し、検出した状態の数を比較して多い方を動作設定素子の状態と判定することを特徴とする請求項１０に記載の制御装置のデータ転送方法。
【請求項１２】
負荷や設定表示部を制御する制御部と、一方の端子がそれぞれ独立に前記制御部に接続され他方の端子が共通して前記制御部に接続された複数の表示素子からなる表示手段および一方の端子がそれぞれ独立に前記制御部に接続され他方の端子が共通して前記制御部に接続された複数の動作設定素子からなる動作設定手段とを有する設定表示部との間を信号線および電力線で接続した制御装置において、
前記制御部が、
前記表示手段の動作を制御し前記動作設定手段の設定状態を検出する制御手段と、
前記表示手段の共通接続された端子に電力線を介して接続された表示用スイッチング手段と、
前記動作設定手段の共通接続された端子に第１の抵抗と電力線を介して接続された検出用スイッチング手段と、
前記検出用スイッチング手段の出力に接続された前記第１の抵抗と前記動作設定手段の共通接続された端子との間に第２の抵抗を介して制御電極が接続され一方の端子が電源に他方の端子が抵抗を介して接地されるとともに他方の端子と前記抵抗との接続点が前記制御手段に接続された設定状態検出手段と、
一端が前記制御手段のポートにそれぞれ抵抗を介して接続され他端が前記表示設定部に接続される複数の信号線とを有し、
前記設定表示部が、
前記動作設定素子のそれぞれに直列に接続された逆流阻止手段と、
前記表示手段のそれぞれの表示素子の一方の端子と前記動作設定手段のそれぞれの動作設定素子とに接続される複数の信号線と、
前記表示手段の共通端子と前記動作設定手段の共通端子にそれぞれ接続された電力線とを有し、
前記制御手段が、表示用スイッチング手段と検出用スイッチング手段を順次選択して動作させるとともに前記信号線の状態を選択して変化させ、検出用スイッチング手段が動作しているときに前記信号線を選択していずれかの動作設定素子の状態を検出することを特徴とする制御装置。
【発明の詳細な説明】
【技術分野】
【０００１】
本発明は、表示手段と動作設定手段を有する設定表示部と制御部との間でデータを転送する制御装置およびこの制御装置におけるデータ転送方法に関する。
【背景技術】
【０００２】
例えば、食品ショーケースなどにおいては、庫内の温度制御や霜取り・曇り止め・警報通知の制御等が行われており、例えばケース下部に設けた機械室に制御部等が配置されショーケース部に設定表示部が設けられている。このようなシステムでは、制御部と設定表示部の間で表示データや各種スイッチ状態などのデータを転送することが必要となる。
【０００３】
ショーケースの概要を図５に示す。ショーケースは、ショーケース制御本体部９０と、負荷９６と、温度検出部９７と、設定表示部９８を有して構成される。ショーケース制御本体部９０は、マイコン９１と、電源回路９２と、ショーケースの電源を入／切する電源スイッチ９３と、負荷駆動回路９４と、入出力回路９５を有して構成される。
【０００４】
マイコン９１は、タイマやＡ／Ｄ変換器を内蔵しており、サーミスタの検出温度と各種設定値によって負荷の入／切、温度表示などの制御を行い、ショーケース全体の動作などを制御する。
【０００５】
電源回路９２は、商用電源が入力されコンプレッサや、ファンなどの負荷に電力を供給するとともに、直流１２Ｖや５Ｖに変換して出力する回路である。
【０００６】
電源スイッチ９３は、ショーケース全体の電源を入／切するスイッチである。
【０００７】
負荷駆動回路９４は、コンプレッサやファンなどの負荷を駆動する回路である。負荷駆動回路９４は、コンプレッサ駆動回路９４１、ファン駆動回路９４２、デフロストヒータ駆動回路９４３、フロントガラスヒータ駆動回路９４４、フロントガラスファン駆動回路９４５、リアガラスヒータ９４６、照明駆動回路９４７を有している。
【０００８】
入出力回路９５は、高圧警報入出力信号や温度検出信号、表示データなどをマイコン９１に入出力する回路である。入出力回路９５は、高圧警報信号を入出力する高圧警報入力回路９５１および高圧警報出力回路９５２、庫内温度やエバポレータの温度を入力する庫内サーミスタ入力回路９５３およびエバポレータサーミスタ入力回路９５４、庫内の温度を出力する表示出力回路９５５、運転状態などを出力する表示出力回路９５６、スイッチの状態を入力するスイッチ入力回路９５７を有して構成される。
【０００９】
負荷９６は、冷凍サイクル用コンプレッサ９６１、送風用ファン９６２、除霜用のヒータであるデフロストヒータ９６３、フロントガラスのくもり止めであるフロントガラスヒータ９６４およびフロントガラスファン９６５、リアガラスのくもりめであるリアガラスヒータ９６６、ショーケース庫内の照明９６７とを有している。
【００１０】
温度検出部９７は、庫内の温度などを検出する回路であり、庫内温度を検出する庫内サーミスタ９７１と、エバポレータの温度を検出するエバポレータサーミスタ９７２とを有している。
【００１１】
設定表示部９８は、庫内の温度を表示する手段であり、たとえば７セグメントの数値表示手段から構成される温度表示部９８１と、運転状態などをＬＥＤの点灯によって表示するモニタ表示部９８２と、運転状態を設定するスイッチ部９８３とを有して構成される。
【００１２】
このようなデータ転送方式にあっては、例えば、設定表示部９８に７セグメントの数値表示手段が２個と、４個のモニタＬＥＤとを備え、制御部との間で各種データをやり取りすることが行われる。設定表示部９８に設けられる数値表示手段は、庫内温度や設定温度を表示する手段である。４個のモニタＬＥＤは、庫内のフロントガラスの曇り止め動作状態、霜取り動作状態、冷却動作状態や温度のマイナスを示す手段である。
【００１３】
このような機能を有する設定表示部と制御部の間のデータの転送は、単純に考えると数値表示手段用の信号線と、モニタＬＥＤ用の信号線が必要となる。これらの手段のデータの転送を、モニタＬＥＤ点灯期間と２個の数値表示手段表示期間とに分割するダイナミックドライブ方式によって行うときには、少なくとも１０本の信号線で結んでいる（例えば、特許文献１の従来技術を参照）。
【００１４】
一方、このような冷凍・冷蔵システムにおいて、ショーケース部に各種スイッチ等を設けスイッチの設定状態を制御部に転送することが要求される。例えば、ショーケース部に設けた６個のスイッチの状態を示すデータを設定表示部９８から入出力回路９５に転送し、前記表示データを入出力回路９５から設定表示部９８に転送することが必要となる。ところで、ショーケースにおいては、制御部と設定表示部との間を繋ぐ信号線は美観を損ねないため通常食品陳列部を避けて配線される。この信号線が太くなると、配線作業が困難になったり、空間を有効活用できなくなるという問題がある。このようなショーケース等の冷凍・冷蔵装置において、６個のスイッチの状態のデータを転送するには、信号線を新たに６本追加しなければならず、配線が太くなるために配線が困難になったり、空間を有効に利用できないため好ましくない。
【特許文献１】特許第３１５６８９８号公報
【発明の開示】
【発明が解決しようとする課題】
【００１５】
本発明は、上記従来の問題点に鑑み、設定表示部と制御部との間でダイナミックドライブを採用してデータを転送するようにしたショーケース等の冷凍・冷蔵機において、信号線を大幅に増加せずに設定表示部に設けたスイッチなどの状態信号を伝送することができるようにした制御装置およびこの制御装置におけるデータ転送方法を提供することを目的とする。
【００１６】
さらに、本発明は、スイッチなどの状態信号を外部ノイズの影響を受けず正確に検出できる制御装置およびこの制御装置におけるデータ転送方法を提供することを目的とする。
【課題を解決するための手段】
【００１７】
上記課題を解決するために、本発明は、負荷や設定表示部を制御する制御部と、表示手段と動作設定手段を有する設定表示部との間を信号線および電力線で接続した制御装置において、前記制御部が、前記表示手段の動作を制御し前記動作設定手段の設定状態を検出する制御手段と、前記表示手段を電源に接続する表示用スイッチング手段と、前記動作設定手段を電源に接続する検出用スイッチング手段と、前記動作設定手段の設定状態を検出する設定状態検出手段と、前記制御手段にそれぞれ抵抗を介して接続される複数の信号線とを有し、前記設定表示部が、複数の表示素子からなる表示手段と、複数の動作設定素子および該動作設定素子にそれぞれ直列に接続された複数の逆流阻止手段とからなる動作設定手段と、前記それぞれの表示素子と前記それぞれの動作設定素子に接続される信号線とを有し、前記制御手段は、前記表示用スイッチング手段を選択して前記表示手段を電源に接続したときに前記表示素子を任意に選択して表示させ、前記検出用スイッチング手段を選択して前記動作設定手段を電源に接続したときに前記動作設定素子を順次選択して設定状態を検出するようにした。
【００１８】
本発明は、上記制御装置において、前記動作設定手段が、複数の動作設定素子の一方の端子を前記逆流阻止手段と前記信号線を介してそれぞれ独立に前記制御部に接続し、他方の端子が共通して前記電力線を介して前記検出用スイッチング手段の出力に接続した。また、本発明は、上記制御装置において、前記表示手段が、複数の表示素子の一方の端子を前記信号線を介してそれぞれ独立に前記制御部に接続し、他方の端子を共通して前記電力線を介して前記表示用スイッチング手段に接続した。さらに、本発明は、上記制御装置において、前記表示手段の複数の表示素子と前記動作設定手段の複数の動作設定素子を、共通の複数本の信号線を介して前記制御部に接続した。
【００１９】
本発明は、上記制御装置において、前記設定状態検出手段が、制御電極と２個の端子を有し、前記制御電極を前記検出用スイッチング手段の出力に接続された第１の抵抗と前記動作設定手段の共通接続された端子との間に第２の抵抗を介して接続し、第１の端子を電源に、第２の端子を抵抗を介して接地するとともに、第２の端子と前記抵抗との接続点を前記制御手段に接続した。
【００２０】
本発明は、上記制御装置において、前記表示用スイッチング手段および前記検出用スイッチング手段ならびに前記設定状態検出手段をトランジスタとし、前記表示手段を７セグメントの数値表示手段とし、前記動作設定素子をスイッチとし、前記制御手段をマイクロコンピュータとした。さらに本発明は、上記制御装置において、前記制御手段が、前記表示用スイッチング手段と前記検出用スイッチング手段を順次選択して動作させるとともに前記信号線の状態を選択して変化させ、検出用スイッチング手段が動作しているときに前記信号線を選択していずれかの動作設定素子の状態を検出するようにした。さらに、前記制御手段が、動作設定素子の設定状態を検出するにあたって、同一の前記動作設定素子の設定状態を複数回にわたって検出し、検出した設定状態の多い方を当該動作設定素子の設定状態とするようにした。
【００２１】
本発明は、上記制御装置におけるデータ転送方法であって、前記表示手段の表示と前記動作設定手段の設定状態の検出をダイナミックドライブ方式によって動作させるようにした。本発明は、さらに、前記動作設定手段の設定状態検出時における前記複数の動作設定素子の設定状態検出をダイナミックドライブ方式によって行い、前記複数の動作設定素子の設定状態検出をダイナミックドライブ方式によって検出するときに、１つの動作設定素子について複数回状態を検出し、検出した状態の数を比較して多い方を動作設定素子の状態と判定するようにした。
【００２２】
本発明は、負荷や設定表示部を制御する制御部と、一方の端子がそれぞれ独立に前記制御部に接続され他方の端子が共通して前記制御部に接続された複数の表示素子からなる表示手段および一方の端子がそれぞれ独立に前記制御部に接続され他方の端子が共通して前記制御部に接続された複数の動作設定素子からなる動作設定手段とを有する設定表示部との間を信号線および電力線で接続した制御装置において、前記制御部が、前記表示手段の動作を制御し前記動作設定手段の設定状態を検出する制御手段と、前記表示手段の共通接続された端子に電力線を介して接続された表示用スイッチング手段と、前記動作設定手段の共通接続された端子に第１の抵抗と電力線を介して接続された検出用スイッチング手段と、前記検出用スイッチング手段の出力に接続された前記第１の抵抗と前記動作設定手段の共通接続された端子との間に第２の抵抗を介して制御電極が接続され一方の端子が電源に他方の端子が抵抗を介して接地されるとともに他方の端子と前記抵抗との接続点が前記制御手段に接続された設定状態検出手段と、一端が前記制御手段のポートにそれぞれ抵抗を介して接続され他端が前記表示設定部に接続される複数の信号線とを有し、前記設定表示部が、前記動作設定素子のそれぞれに直列に接続された逆流阻止手段と、前記表示手段のそれぞれの表示素子の一方の端子と前記動作設定手段のそれぞれの動作設定素子とに接続される複数の信号線と、前記表示手段の共通端子と前記動作設定手段の共通端子にそれぞれ接続された電力線とを有し、前記制御手段が、表示用スイッチング手段と検出用スイッチング手段を順次選択して動作させるとともに前記信号線の状態を選択して変化させ、検出用スイッチング手段が動作しているときに前記信号線を選択していずれかの動作設定素子の状態を検出するようにした。
【発明の効果】
【００２３】
上記構成を有することによって、本発明は、冷凍・冷蔵機能を有するショーケースなどの制御装置において、設定表示部と制御部の間で、モニタＬＥＤ点灯データおよび数値表示データ、ならびにスイッチ状態などデータを、信号線を大幅に増加することなく転送することができる。
【００２４】
さらに、本発明は、スイッチ状態などのデータを外部ノイズの影響を受けずに正確に検出することができる。
【発明を実施するための最良の形態】
【００２５】
以下、本発明にかかる制御装置およびこの制御装置におけるデータ転送方法を、図を用いて説明する。図１は本発明にかかる制御装置をショーケースなどの冷凍・冷蔵装置に適用した場合の構成を説明する図であり、図２はダイナミックドライブ方式による表示およびスイッチ検出アルゴリズムを説明するタイムチャートである。図３はスイッチ状態検出期間におけるスイッチ状態検出方法を説明するタイムチャートであり、図４はそのフローチャートである。
【００２６】
本発明にかかる制御装置は、制御部１と設定表示部３とを、信号ケーブル５によって接続して構成される。
【００２７】
制御部１は、本体側マイコン（制御手段）１１と、第１の増幅器１２と、第２の増幅器１３と、４個のトランジスタ（スイッチング手段）１４−１〜１４−４と、１個のトランジスタ（設定状態検出手段）１４−５と、抵抗１５−１〜１５−１１と、抵抗１６−１〜１６−４と、コンデンサ１７−１〜１７−３と、信号線１８−１〜１８―７と、電力線１８Ｐ−８〜１８Ｐ−１１と、コネクタ１９とを有して構成される。
【００２８】
設定表示部３は、表示手段である第１の数値表示手段３１−１と、第２の数値表示手段３１−２と、４個のモニタＬＥＤ３２−１〜３２−４と、動作設定素子である６個のスイッチ３３−１〜３３−６と、６個の逆流阻止ダイオード３４−１〜３４−６と、信号線３８−１〜３８−７と、電力線３８Ｐ−８〜３８Ｐ−１１と、コネクタ３９とを有して構成される。
【００２９】
信号ケーブル５は、７本の信号線および４本の電力線５１−１〜５１−１１で第１のコネクタ５２と第２のコネクタ５３を対応付けて接続して構成される。
【００３０】
制御部１のマイコン１１は、自身が有するソフトウエアに従って第１の増幅器１２および第２の増幅器１３の出力Ｐ〜Ｓ、ａ〜ｇを“ハイ”または“ロー”として設定表示部３をダイナミックドライブ方式で制御する働きと、設定表示部３のスイッチの状態を本発明に固有のアルゴリズムに基づいて検出判断する働きを有している。
【００３１】
第１の増幅器１２は、出力Ｐ〜Ｓに接続された第１のトランジスタ１４−１〜第４のトランジスタ１４−４を駆動するマイコン１１の出力信号を増幅する手段である。第２の増幅器１３は、マイコン１１からの７個の入力を増幅して出力ａ〜ｇおよび抵抗１５−１〜１５−７を介して信号線１８−１〜１８−７へ出力する増幅手段である。
【００３２】
第１のトランジスタ１４―１は、第１の増幅器１２の出力Ｑが“ロー”となるとオンとなって電力線１８Ｐ−１０、３８Ｐ−１０を介して設定表示部３のモニタＬＥＤ３２−１〜３２−４に電力を供給する電源スイッチとして働く。
【００３３】
第２のトランジスタ１４−２は、第１の増幅器１２の出力Ｒが“ロー”となるとオンとなって電力線１８Ｐ−９、３８Ｐ−９を介して設定表示部３の１の位を表示する第１の数値表示手段３１−１に電力を供給する電源スイッチとして働く。第３のトランジスタ１４−３は、第１の増幅器１２の出力Ｓが“ロー”となるとオンとなって電力線１８Ｐ−８、３８Ｐ−８を介して設定表示部３の１０の位を表示する第２の数値表示手段３１−２に電力を供給する電源スイッチとして働く。
【００３４】
第４のトランジスタ１４−４は、第１の増幅器１２の出力Ｐが“ロー”となるとオンとなって電力線１８Ｐ−１１、３８Ｐ−１１を介して設定表示部３のスイッチ３３−１〜３３−６に電力を供給する電源スイッチとして働く。
【００３５】
第５のトランジスタ１４−５は、第４のトランジスタがスイッチ３３−１〜３３−６に通電したときに、いずれか１つのスイッチの状態を検出してマイコン１１に送るスイッチ状態検出手段として働く。第５のトランジスタ１４−５のベースが抵抗１６−２とコンデンサ１７−１からなるフィルタを介してコネクタ１９に接続され、コレクタが抵抗１６−３を介して接地されるとともにコンデンサ１７−２、抵抗１６−４、コンデンサ１７−３からなるフィルタを介してマイコンのポートＩに接続される。
【００３６】
信号線１８−１〜１８―７は、第２の増幅器１３の出力ａ〜ｇとコネクタ１９を接続して、第２の増幅器１３の出力を、コネクタ１９および信号ケーブル５を介して第１の数値表示手段３１−１、第２の数値表示手段３１−２、モニタＬＥＤ３３−１〜３３−４、スイッチ３３−１〜３３−６に接続する働きを有する。信号線１８−１〜１８―７には、それぞれ抵抗１５−１〜１５−７が接続される。
【００３７】
電力線１８Ｐ―８は、第１の増幅器１２の出力Ｓにベースが接続された第３のトランジスタ１４−３のコレクタに接続され、設定表示部３の第２の数値表示手段３１−２に電源＋Ｖ１２を接続する。電力線１８Ｐ−９は、第１の増幅器１２の出力Ｒにベースが接続された第２のトランジスタ１４−２のコレクタに接続され、設定表示部３の第１の数値表示手段３１−１に電源＋Ｖ１２を接続する。電力線１８Ｐ―１０は、第１の増幅器１２の出力Ｑにベースが接続された第１のトランジスタ１４−１のコレクタに接続され、設定表示部３のモニタＬＥＤ３２−１〜３２−４に電源＋Ｖ１２を接続する。電力線１８Ｐ―１１は、第１の増幅器１２のポートＰにベースが接続された第４のトランジスタ１４−４のコレクタに一端が接続され、他端が抵抗１６−１を介してコネクタ１９に接続され、設定表示部３のスイッチ３３−１〜３３−６に電源＋Ｖ５を接続する。
【００３８】
コネクタ１９は、制御部１を、信号ケーブル５を介して設定表示部３に接続するためのコネクタである。
【００３９】
設定表示部３の、第１の数値表示手段３１−１は、例えばＬＥＤを用いた７セグメントの数値表示手段として構成され、１の位の数値を表示する。第２の数値表示手段３１−２は、例えばＬＥＤを用いた７セグメントの数値表示手段として構成され、１０の位の数値を表示する。
【００４０】
モニタＬＥＤ３２−１〜３２−４は、冷却動作状態、温度のマイナス表示状態、ショーケースの霜取動作状態、ショーケースのガラスの曇り除去動作状態などの動作状態を表示する表示手段である。
【００４１】
スイッチ３３−１〜３３−６は、くもり除去オン／オフを設定するスイッチ、霜取オン／オフを設定するスイッチ、警報を解除するスイッチ、温度などを設定する設定スイッチ、照明オン／オフを設定するスイッチ、運転オン／オフを設定するスイッチである。
【００４２】
逆流阻止ダイオード３４−１〜３４−６は、第４のトランジスタ１４−４がオフのときに、第２の増幅器１３からの出力の逆流を阻止するダイオードである。
【００４３】
信号線３８−１〜３８−７は、第１の数値表示手段３１−１と第２の数値表示手段３１−２の各セグメントに接続され、信号線３８−２〜３８−７は、逆流阻止ダイオード３４−１〜３４−６を介して各スイッチ３３−１〜３３−６に接続される。さらに、信号線３８−４〜３８−７は、各モニタＬＥＤ３２−１〜３２−４のカソードに接続される。電力線３８Ｐ−８は第２の数値表示手段３１−２の共通端子に、電力線３８Ｐ−９は第１の数値表示手段３１−１の共通端子に接続され、電力線３８Ｐ−１０は各モニタＬＥＤ３２−１〜３２−４の共通接続されたアノードに接続され、電力線３８Ｐ−１１は各スイッチ３３−１〜３３−６の共通接続側に接続される。
【００４４】
コネクタ３９は、設定表示部３を、信号ケーブル５を介して制御部１に接続するためのコネクタである。
【００４５】
このような構成を有する信号転送装置の動作について説明する。図２に示すように、制御部１に設けたマイコン１１は、２ミリ秒毎に、モニタＬＥＤ点灯期間、第２の数値表示手段点灯期間、第１の数値表示手段点灯期間、スイッチ状態検出期間と態様を切り替える。
【００４６】
すなわち、モニタＬＥＤ点灯期間では、第１のトランジスタ１４−１を“オン”にし、第２の増幅器１３の必要とする出力ａ〜ｄを“ロー”として、必要とするモニタＬＥＤ３２−１〜３２−４を選択点灯する。第２の数値表示手段点灯期間では、第３のトランジスタ１４−３を“オン”にして第２の数値表示手段３１−２の共通端子に電力を供給し、第２の増幅器１３の必要とする出力ａ〜ｇを“ロー”として、セグメントを選択点灯させて数字を表示させる。同様に第１の数値表示手段点灯期間では、第２のトランジスタ１４−２を“オン”にして第１の数値表示手段３１−１の共通端子に電力を供給し、第２の増幅器１３の必要とする出力ａ〜ｇを“ロー”として、数値表示手段のセグメントを選択点灯させて数字を表示させる。スイッチ状態検出期間では、第４のトランジスタ１４−４を“オン”にしてスイッチ３３−１〜３３−６の共通端子に電力を供給し、第２の増幅器１３の必要とする出力ａ〜ｆを例えば３３０μ秒間ずつ順次“ロー”として、各スイッチの状態を順次検出する。
【００４７】
このようにして、７本の信号線と４本の電力線を用いて、２個の７セグメント数値表示手段へ数字を表示させることと、４個のモニタＬＥＤの点灯を制御することと、６個のスイッチの状態を検出することが可能となる。
【００４８】
上記の方式では、スイッチ状態検出期間に冷凍サイクルの圧縮器のモータやスイッチングトランジスタなどのオン／オフによってノイズが発生すると、スイッチの状態の検出を誤るおそれがある。この問題に対処して正確にスイッチの状態を検出するために、本発明では以下のような手法を用いている。
【００４９】
図３に示すように、スイッチ状態検出期間における、各スイッチ対応の検出期間（３３０μ秒）では、マイコン１１がスイッチの状態検出を複数（例えば奇数）回（図３では例えば１３回）行い、検出した状態（“ハイ”または“ロー”）の回数の大小を比較して大きい方を採用することによってスイッチ状態を判断している。このような、大小判定によってスイッチの状態を判断するので、必要とするスイッチの状態検出期間にノイズがあっても、正確なスイッチ状態を検出することができる。
【００５０】
以上に説明したダイナミックドライブ方式においてノイズの影響を受けずにスイッチの状態を検出するマイコン１１の処理を、図４を用いて説明する。この処理は、２ｍ秒毎のタイマ割り込みによって実行され、ステップＳ４１からステップＳ４８またはステップＳ４９の処理でタイマの値を書き替えることによってステップＳ４１からステップＳ９１の処理は３３０μ秒毎にタイマ割り込みが実行される。ステップＳ９１の処理が終了し、再びステップＳ１１を実行するときに再びタイマの値は２０ｍ秒に書き替えられ、次ぎの割り込みに備える。処理期間を判断するためにマイコン１１にカウンタを備える。このカウンタは、マイコン１１の初期化時に“０”にリセットされる。
【００５１】
処理がスタートすると、カウンタの内容が“０”であるか否かを判断してモニタＬＥＤ点灯期間であるか否かを判断する（Ｓ１）。カウンタが“０”でモニタＬＥＤ点灯期間であるときには、モニタＬＥＤ表示プログラムを実行してカウンタに１を加算し、カウンタを“１”にする（Ｓ１１）。ステップＳ１でモニタＬＥＤ点灯期間でなかったときには、カウンタの内容が“１”であるか否かを判断して第２の数値（１０位）表示手段点灯期間であるか否かを判断する（Ｓ２）。カウンタが“１”で第２の数値（１０位）表示手段点灯期間であるときには、第２の数値表示プログラムを実行してカウンタに１を加算し、カウンタを“２”にする（Ｓ２１）。ステップＳ２で第２の数値表示手段点灯期間でなかったときには、カウンタの内容が“２”であるか否かを判断して第１の数値表示手段点灯期間であるか否かを判断する（Ｓ３）。カウンタが“２”で第１の数値表示手段点灯期間であったときには、第１の数値表示手段点灯プログラムを実行してカウンタに１を加算し、カウンタを“３”にする（Ｓ３１）。ステップＳ３で第１の数値表示手段点灯期間でなかったときには、スイッチ検出期間に移行し、スイッチの状態を検出する。
【００５２】
まず、カウンタの内容が“３”であるか否かを判断してスイッチ状態検出期間がスイッチＡ（３３−１）であるか否かを判断する（Ｓ４）。カウンタが“３”でスイッチ状態検出期間がスイッチＡであるときには、スイッチＡ状態検出プログラムに移行する。
【００５３】
スイッチＡ状態検出プラグラムでは、第４のトランジスタ１４−４を例えば２ｍ秒間“オン”にしてスイッチ３３−１〜３３−６に電源＋Ｖ５を印加する（Ｓ４１）。ついで、第２の増幅器１３の出力ａを３３０μ秒間“ロー”に設定し他の出力ｂ〜ｆを“ハイ”に設定する（Ｓ４２）。その後、マイコン１１は、自己のポートＩが“ハイ”であるか“ロー”であるかを判断する（Ｓ４３）。すなわち、第２の増幅器１３のポートａが“ロー”  であり、スイッチ３３−１が“オフ”であるときには、第５のトランジスタ１４−５のベースが“ハイ”となるので、第５のトランジスタ１４−５は“オフ”となり、マイコン１１のポートＩには、“ロー”が入力される。第２の増幅器１３のポートａが“ロー”  であり、スイッチ３３−１が“オン”であるときには、第５のトランジスタ１４−５のベースが“ロー”となるので、第５のトランジスタ１４−５は“オン”となり、マイコン１１のポートＩには、電源＋Ｖ５の電圧“ハイ”が入力される。マイコン１１は、ポートＩが“ハイ”であるか“ロー”であるかを判断した後、それぞれハイカウンタまたはローカウンタを歩進させる（Ｓ４４またはＳ４５）。
【００５４】
次ぎに、３３０μ秒の間に予め設定された所定回数例えば１３回マイコン１１のポートＩの入力状態の判断が行われたか否かを判断し（Ｓ４６）、所定回数の判断を行っていないときには、ステップＳ４３の判断に戻りステップＳ４４、４５の処理、ステップＳ４６の判断を行う。所定回数の判断が行われると、ハイカウンタの内容とローカウンタの内容の大小を比較し（Ｓ４７）、ハイカウンタの内容が大であるときには、ポートＩの入力は“ハイ”でありすなわちスイッチ３３−１は“オン”であると判定する（Ｓ４８）。ステップＳ４７の比較で、ローカウンタの内容が大であるときには、ポートＩの入力は“ロー”でありすなわちスイッチ３３−１は“オフ”であると判定する（Ｓ４９）。その後、カウンタに１を加算して判断処理を終了する。
【００５５】
ステップＳ４の判断で、スイッチ状態検出期間がスイッチＡ（３３−１）の判断でないときには、カウンタの内容を判断して順次スイッチＢ〜Ｆ（３３−２〜３３−６）の検出であるか否かを判断し（Ｓ５〜９）、該当するスイッチ検出プラグラムを実行する（Ｓ５１〜Ｓ９１）。スイッチ検出プログラムは、スイッチＡ検出プログラムと同様であるのでその説明の詳細は省略する。スイッチＢ〜Ｅの検出プログラムが終了すると、それぞれカウンタに１を加算する。スイッチＦの検出プログラムが終了すると、カウンタを“０”にして処理を終了する。
【００５６】
このように、ダイナミックドライブ方式を採用した本発明によれば、１１本の通信線を使用して、２個の７セグメントの数値表示手段と４個の状態表示ＬＥＤとを点灯表示させるとともに、６個のスイッチの設定状態を検出することが可能となる。
【００５７】
さらに、スイッチ状態検出期間において、ノイズが発生してもノイズの影響を受けずに正確なスイッチの状態を検出することができる。
【００５８】
上記の説明では、表示部３の数値表示手段３１やモニタＬＥＤ３２を駆動するために信号を増幅する第１の増幅器１２と第２の増幅器１３を備えたが、マイコン１１内に増幅器を備えることによって、これらの増幅器を省略することができる。
【００５９】
モニタＬＥＤ３２−１〜３２−４、数値表示手段３１−１，３１−２、スイッチ３３−１〜３３−６に電力を供給する手段として第１〜第４のｐｎｐトランジスタ１４−１〜１４−４を用いたが、ｐｎｐトランジスタによらず他のスイッチング手段であって良い。
【図面の簡単な説明】
【００６０】
【図１】本発明にかかる制御装置をショーケースなどの冷凍・冷蔵装置に適用した場合の構成を説明する図。
【図２】ダイナミックドライブ方式による表示およびスイッチ検出アルゴリズムを説明するタイムチャート。
【図３】スイッチ状態検出期間におけるスイッチ状態検出方法を説明するタイムチャート。
【図４】スイッチ状態検出期間におけるスイッチ状態検出方法のフローチャート。
【図５】ショーケースの制御部の概要を説明するブロック図。
【符号の説明】
【００６１】
１：制御部
１１：マイコン
１２：第１の増幅器
１３：第２の増幅器
１４：トランジスタ
１５、１６：抵抗
１７：コンデンサ
１８：信号線
１８Ｐ：電力線
１９：コネクタ
３：設定表示部
３１：７セグメント数値表示手段
３２：状態表示ＬＥＤ
３３：スイッチ
３４：逆流阻止ダイオード
３８：信号線
３８Ｐ：電力線
３９：コネクタ
５：信号ケーブル
５１：信号線
５２、５３：コネクタ
【図１】
2005188855.tif 000003
【図２】
2005188855.tif 000004
【図３】
2005188855.tif 000005
【図４】
2005188855.tif 000006
【図５】
2005188855.tif 000007